(57)【要約】【課題】照射光を透過させるパネルの撓みを抑えるのに有利な照明器具を提供する。【解決手段】照明器具１０は、天板２０と外周壁２２とを有する筐体１１と、筐体１１の内部に収容される光源と、天板２０から鉛直方向に吊り下げられる支柱１５と、支柱１５を貫通させる第１貫通穴１３ｂを有し、光源の前面側を覆う透過パネル１３と、透過パネル１３の鉛直方向の下方に配置され、第１貫通穴１３ｂを貫通した支柱１５に保持される飾り部材１４とを備える。透過パネル１３は、筐体１１の外周壁２２と、支柱１５とに保持される。【選択図】図２
2020136201.tif 000002
【特許請求の範囲】
【請求項１】
天板と外周壁とを有する筐体と、
前記筐体の内部に収容される光源と、
前記天板から鉛直方向に吊り下げられる支柱と、
前記支柱を貫通させる第１貫通穴を有し、前記光源の前面側を覆う透過パネルと、
前記透過パネルの鉛直方向の下方に配置され、前記第１貫通穴を貫通した前記支柱に保持される飾り部材と、
を備え、
前記透過パネルは、前記筐体の前記外周壁と、前記支柱とに保持される、照明器具。
【請求項２】
前記飾り部材は、前記支柱を貫通させる第２貫通穴を有するフランジ部を含む筒体であり、
前記支柱は、前記フランジ部を介して前記透過パネルを保持する、請求項１に記載の照明器具。
【発明の詳細な説明】
【技術分野】
【０００１】
本開示は、照明器具に関する。
【背景技術】
【０００２】
従来、単数又は複数の光源を備え、照射領域に向かう光源の前面側が、照射光を透過させるパネルやカバーで覆われた照明器具がある。特許文献１は、平板状の透過カバーを備えた、一般住宅用として採用され得る照明器具を開示している。
【先行技術文献】
【特許文献】
【０００３】
【特許文献１】特開２０１６−１６７４５８号公報
【発明の概要】
【発明が解決しようとする課題】
【０００４】
例えば、多くの人が集まったり通行したりするような場所に設置される照明器具は、一般住宅に設置されるものよりも大型化する。したがって、このような場所に平板状の透過パネルを備えた照明器具を採用しようとすると、透過パネルも大型となる。一般に、透過パネルは、照明器具の外周部で保持されることが多い。そのため、透過パネルが大型になればなるほど、透過パネルに撓みが生じるおそれがある。透過パネルの撓みは、照明性能上又は外観上、望ましくない。
【０００５】
本開示は、このような従来技術の有する課題に鑑みてなされたものである。そして、本開示の目的は、照射光を透過させるパネルの撓みを抑えるのに有利な照明器具を提供することにある。
【課題を解決するための手段】
【０００６】
上記課題を解決するために、本開示の態様に係る照明器具は、天板と外周壁とを有する筐体と、筐体の内部に収容される光源と、天板から鉛直方向に吊り下げられる支柱と、支柱を貫通させる第１貫通穴を有し、光源の前面側を覆う透過パネルと、透過パネルの鉛直方向の下方に配置され、第１貫通穴を貫通した支柱に保持される飾り部材と、を備え、透過パネルは、筐体の外周壁と、支柱とに保持される。
【発明の効果】
【０００７】
本開示によれば、照射光を透過させるパネルの撓みを抑えるのに有利な照明器具を提供することができる。
【図面の簡単な説明】
【０００８】
【図１】本開示の一実施形態に係る照明器具の外観を示す図である。
【図２】本開示の一実施形態に係る照明器具の側面及び内部構成を示す図である。
【図３】本開示の一実施形態に係る照明器具の平面及び内部構成を示す図である。
【図４】本開示の他の実施形態に係る照明器具の外観を示す図である。
【図５】本開示の他の実施形態に係る照明器具の外観を示す図である。
【発明を実施するための形態】
【０００９】
以下、各実施形態について図面を参照しつつ詳細に説明する。以下の説明では、照明器具の照明方向、具体的には、光源の光射出面に対して垂直な方向をＺ方向と規定する。また、Ｚ方向に対して垂直となる平面内で、互いに垂直なＸ方向及びＹ方向を規定する。すなわち、ＸＹ平面は、水平面である。
【００１０】
図１は、本実施形態に係る照明器具１０の外観を示す斜視図である。図２は、天井１００に設置されている照明器具１０の側面図及び断面図である。図２において、照明器具１０の中心軸ＡＸを基準として、左側が断面図であり、右側が側面図である。図３は、照明領域側から見た照明器具１０の平面図及び断面図である。図３において、中心軸ＡＸを通り、かつ、Ｙ方向に沿って延伸する直線を基準として、左側が図２のＩＩＩ−ＩＩＩ断面に対応する断面図であり、右側が平面図である。
【００１１】
照明器具１０は、例えば、多くの人が集まったり通行したりするような建物等の天井１００に設置されることが想定されている。照明器具１０は、筐体１１と、灯具１２と、透過パネル１３と、飾り部材１４と、支柱１５とを備える。
【００１２】
筐体１１は、透過パネル１３及び飾り部材１４とともに照明器具１０の外装を構成し、内部に灯具１２等を収容する。本実施形態では、筐体１１の平面形状が円形であるものとする。筐体１１は、例えば、天板２０と、外周壁２２とを有する。
【００１３】
天板２０は、照明器具１０が天井１００に取り付けられたときに天井１００の表面に対して平行となる鋼製の円板である。天板２０は、外周部で外周壁２２を保持する。なお、天板２０と外周壁２２とは、溶接等により結合されてもよいし、ボルト等の締結部材により接続されてもよい。又は、天板２０と外周壁２２とは、一体であってもよい。
【００１４】
また、天板２０は、不図示であるが、天井１００側に予め設置されているボルト１０２を貫通させる貫通穴を有する。天板２０は、照明器具１０が天井１００に取り付けられるときには、複数のボルト１０２を複数の当該貫通穴に個々に貫通させてナット１０４が締結されることで、天井１００に固定される。天板２０の天井１００と対向する表面には、図２及び図３に示すように、例えば、天板２０に撓みが生じることを抑えるために、補強部材２４が取り付けられていてもよい。補強部材２４は、天井１００と天板２０との間に空間を形成するスペーサーとしても機能する。
【００１５】
外周壁２２は、中心軸ＡＸを基準とした鋼製の筒体である。外周壁２２の一方の円周端は、上記のとおり、天板２０に保持される。外周壁２２の他方の円周端は、後述する透過パネル１３の外周端を支持する。外周壁２２は、全体として一律の外径及び一律の内径として形成されたものであってもよいし、Ｚ方向の位置によって外径又は内径がそれぞれ異なるように形成されたものであってもよい。図１〜図３に示されている照明器具１０では、一例として、外周壁２２の厚みが一定であり、かつ、天井１００に近い側の外周壁２２の一部における外径は、天井１００から遠い側の外周壁２２の一部における外径よりも小さく設定されている。
【００１６】
灯具１２は、例えばＬＥＤ（発光ダイオード）を光源とする。灯具１２は、一般に天井取付用の灯具として販売されている、いわゆる標準品であってもよい。本実施形態では、照明器具１０は、一例として、図３に示すように、７つの灯具１２を備える。このうちの１つの灯具１２は、中心軸ＡＸと同軸に設置される。残りの６つの灯具１２は、ＸＹ平面上における中心軸ＡＸを基準とした直径Ｄの仮想円Ｃ上に等間隔で設置される。７つの灯具１２は、すべて、天板２０に支持される。例えば、天板２０は、不図示であるが、灯具１２が有するボルト１２ａを貫通させる貫通穴を有してもよい。灯具１２は、当該貫通穴に貫通されたボルト１２ａにナット１２ｂが締結されることで、天板２０に固定されてもよい。
【００１７】
透過パネル１３は、灯具１２から発せられた光を外部に透過可能とする円板である。透過パネル１３は、例えば、乳白色である樹脂等の透過性の材料で形成されてもよい。透過パネル１３の外周径Ｄ２は、例えば、６００ｍｍから９００ｍｍまでの寸法範囲にあるものであってもよい。透過パネル１３の厚みｔは、例えば、５ｍｍ程度であってもよい。
【００１８】
透過パネル１３は、本実施形態では、２つの領域で筐体１１に保持される。第１の領域として、透過パネル１３の外周部は、上記のとおり、筐体１１の外周壁２２の他方の円周端に保持される。透過パネル１３は、外周端の近傍に、複数の貫通穴１３ａを有する。貫通穴１３ａの設置数は、特に限定されるものではないが、本実施形態では、一例として１０個である。１０箇所の貫通穴１３ａは、ＸＹ平面上における中心軸ＡＸを基準とした直径Ｄ３（図２参照）の仮想円上に等間隔で形成されている。一方、筐体１１の外周壁２２には、透過パネル１３にある貫通穴１３ａの位置に対応した貫通穴２６ｃを有する取付金具２６が固定されている。つまり、取付金具２６は、１０箇所の貫通穴１３ａのそれぞれに対応して１０個ある。
【００１９】
取付金具２６は、第１板部２６ａと、第１板部２６ａに対して直角に連続する第２板部２６ｂとを含む、いわゆるＬ形金具である。この場合、第１板部２６ａは、外周壁２２の内面に接触して固定される。第２板部２６ｂは、透過パネル１３の表面と対向し、貫通穴２６ｃを有する。また、第２板部２６ｂ上には、貫通穴２６ｃと同軸に、ナット２６ｄが溶接灯により固定されている。
【００２０】
外周壁２２への透過パネル１３の取り付けに関して、作業者は、透過パネル１３を外周壁２２の内面に沿って筐体１１内に導入し、取付金具２６の貫通穴２６ｃの位置に、透過パネル１３の貫通穴１３ａの位置を合わせる。次に、作業者は、透過パネル１３の１０箇所の貫通穴１３ａに、ワッシャー２７ｂを介して透過パネル取付用のボルト２７ａをそれぞれ挿入してナット２６ｄに締結させることで、透過パネル１３を外周壁２２に取り付けることができる。なお、ワッシャー２７ｂと透過パネル１３との間、又は、透過パネル１３と第２板部２６ｂとの間に、例えばゴム製のパッキン等を配置させてもよい。
【００２１】
また、筐体１１に保持される第２の領域として、透過パネル１３の外周部よりも中心軸ＡＸ側にある領域は、筐体１１の天板２０から吊り下げられた、後述する複数の支柱１５に保持される。透過パネル１３は、複数の支柱１５のそれぞれに位置に対応して、支柱１５を貫通可能とする複数の第１貫通穴１３ｂを有する。第１貫通穴１３ｂの設置数は、特に限定されるものではないが、本実施形態では、一例として６つである。６箇所の第１貫通穴１３ｂは、ＸＹ平面上における中心軸ＡＸを基準とした直径Ｄ５（図２参照）の仮想円上に等間隔で形成されている。第１貫通穴１３ｂに係る直径Ｄ５は、透過パネル１３の外周端の近傍に形成されている貫通穴１３ａに係る直径Ｄ３よりも小さい。直径Ｄ３は、透過パネル１３の外周径Ｄ２よりも若干小さい。これに対して、直径Ｄ５は、例えば、透過パネル１３の外周径Ｄ２の半分程度であってもよい。
【００２２】
飾り部材１４は、透過パネル１３の鉛直方向の下方に配置され、照明領域側から視認可能である。本実施形態では、飾り部材１４の形状は、一例として、中心軸ＡＸを基準とした鋼製の筒体である。飾り部材１４の外径Ｄ４は、透過パネル１３の外周径Ｄ２よりも小さい。飾り部材１４の板厚は、筐体１１の外周壁２２の板厚と同等であってもよい。
【００２３】
また、飾り部材１４は、透過パネル１３に対向する側の円周端にフランジ部１４ａを有する。フランジ部１４ａは、例えば、飾り部材１４の内周面から中心軸ＡＸに向かって突出し、一方の表面が透過パネル１３の表面と対向する環状部である。フランジ部１４ａは、透過パネル１３にある複数の第１貫通穴１３ｂのそれぞれの位置に対応し、かつ、支柱１５を貫通可能とする複数の第２貫通穴１４ｂを有する。つまり、本実施形態における６箇所の第２貫通穴１４ｂは、第１貫通穴１３ｂと同じ直径Ｄ５の仮想円上に等間隔で形成されている。
【００２４】
なお、図１〜図３に例示する飾り部材１４は、単純な円筒形状で表されているが、飾り部材１４には、さらに、細かな装飾が施されていたり、他の細かな装飾部品が取り付けられていたりしてもよい。
【００２５】
支柱１５は、中心軸ＡＸに沿った姿勢で、一端が天板２０に支持され、他端が飾り部材１４を支持する。支柱１５は、例えば、両端にネジ穴を有するステンレススチール製の六角柱材である。支柱１５は、透過パネル１３に形成されている複数の第１貫通穴１３ｂ、及び、飾り部材１４に形成されている複数の第２貫通穴１４ｂに対応した位置に配置される。つまり、本実施形態では、支柱１５は６つあり、それぞれの支柱１５は、第１貫通穴１３ｂ及び第２貫通穴１４ｂと同じ直径Ｄ５の仮想円上に等間隔で形成されている。ただし、筐体１１内には、複数の灯具１２が配置されているので、支柱１５は、灯具１２と干渉しない位置に配置される。
【００２６】
支柱１５は、天板２０に対して、例えばボルト１５ａを用いて固定される。この場合、天板２０は、ボルト１５ａをそれぞれ貫通させるための複数の貫通穴２０ａを有する。ボルト１５ａは、予め、天井１００に対向する表面側から貫通穴２０ａに挿入される。なお、ボルト１５ａの頭部は、予め、天板２０に対して溶接等により結合されていてもよい。支柱１５は、ボルト１５ａに対して、予め端部に形成されているネジ穴を係合させることで、天板２０に固定される。
【００２７】
一方、支柱１５への透過パネル１３及び飾り部材１４の取り付けに関して、作業者は、外周壁２２への透過パネル１３の取り付けに併せて、透過パネル１３のそれぞれの第１貫通穴１３ｂに、対応する支柱１５を貫通させておく。次に、作業者は、透過パネル１３を外周壁２２に取り付けた後、第１貫通穴１３ｂから突出している支柱１５の先端部が、対応する第２貫通穴１４ｂを貫通させて、飾り部材１４のフランジ部１４ａを透過パネル１３の表面に当接させる。そして、作業者は、突出している支柱１５の端部に予め形成されているネジ穴に、ワッシャー２８ｂを介してボルト２８ａをそれぞれ締結させることで、支柱１５に対して、透過パネル１３及び飾り部材１４を取り付けることができる。なお、透過パネル１３とフランジ部１４ａとの間に、例えばゴム製のパッキン等を配置させてもよい。
【００２８】
ここで、支柱１５に対してボルト２８ａによる締結が行われたときには、透過パネル１３の全面が水平状態となることが望ましい。そこで、支柱１５の長さは、ボルト２８ａによる締結が行われた後に、フランジ部１４ａが透過パネル１３に接触し、フランジ部１４ａに支持された透過パネル１３の全面が水平状態となる長さに予め設定される。
【００２９】
そして、上記のように透過パネル１３が筐体１１に取り付けられると、透過パネル１３は、すでに筐体１１内に設置されている光源を含む灯具１２の前面側を覆うことになるので、光源からの照射光は、透過パネル１３と透過して照明領域へと射出される。
【００３０】
次に、照明器具１０による作用及び効果について説明する。
【００３１】
本実施形態に係る照明器具１０は、天板２０と外周壁２２とを有する筐体１１と、筐体１１の内部に収容される光源と、天板２０から鉛直方向に吊り下げられる支柱１５とを備える。また、照明器具１０は、支柱１５を貫通させる第１貫通穴１３ｂを有し、光源の前面側を覆う透過パネル１３と、透過パネル１３の鉛直方向の下方に配置され、第１貫通穴１３ｂを貫通した支柱１５に保持される飾り部材１４とを備える。透過パネル１３は、筐体１１の外周壁２２と、支柱１５とに保持される。
【００３２】
ここで、透過パネル１３が比較的大型である場合、透過パネル１３が筐体１１に対して外周部のみで保持されると、自重により透過パネル１３が撓むこともあり得る。これに対して、照明器具１０では、透過パネル１３は、筐体１１に対して、外周部のみならず、筐体１１の内部において外周部よりも中心軸ＡＸ側で支持されている支柱１５によっても保持される。したがって、照明器具１０によれば、透過パネル１３が比較的大型でも、透過パネル１３の撓みの発生を抑えることができる。
【００３３】
また、支柱１５は、単に透過パネル１３を保持するだけでなく、透過パネル１３の下方に配置される飾り部材１４も保持する。ここで、もし、透過パネル１３に直接的に飾り部材を保持させたとすると、飾り部材の自重がすべて透過パネル１３にかかることになり、透過パネル１３の撓みの原因となり得る。これに対して、照明器具１０では、飾り部材１４の自重は支柱１５が受けることになるので、透過パネル１３の撓みの発生を抑える点でより有利となり得る。
【００３４】
また、支柱１５は、天板２０から鉛直方向に吊り下げられるので、灯具１２から発せられて透過パネル１３に向かう照射光が支柱１５に妨げられづらい。つまり、透過パネル１３には支柱１５の影が映りづらくなるので、照明性能や美観の点でも有利となり得る。
【００３５】
このように、本実施形態によれば、照射光を透過させる透過パネル１３の撓みを抑えるのに有利な照明器具１０を提供することができる。
【００３６】
また、照明器具１０では、飾り部材１４は、支柱１５を貫通させる第２貫通穴１４ｂを有するフランジ部１４ａを含む筒体であってもよい。支柱１５は、フランジ部１４ａを介して透過パネル１３を保持してもよい。
【００３７】
上記例示のように飾り部材１４が筒体である場合には、筒体の外周側のみならず、内周側も照射光が通過することになる。このような照明器具１０によれば、支柱１５は、筒体の外周側及び内周側のいずれの側の照射光の通過も妨げづらくすることができる。
【００３８】
なお、上記説明では、筐体１１の外周壁２２及び飾り部材１４のそれぞれの平面形状が円形であるものとしたが、本開示の照明器具は、これに限定されない。
【００３９】
図４は、本開示の他の実施形態として、図１に示す筐体１１に代わる第２筐体３１、及び、図１に示す飾り部材１４に代わる第２飾り部材３４を備える照明器具３０の構成を示す斜視図である。照明器具３０において、第２筐体３１の外周壁３２、及び、第２飾り部材３４の平面形状は、それぞれ矩形である。この場合、図１に示す透過パネル１３に代わる第２透過パネル３３の平面形状も矩形である。なお、第２飾り部材３４も、フランジ部３４ａを有する。第２透過パネル３３は、ボルト２７ａ及びボルト２８ａの締結により固定され得る。また、第２飾り部材３４も、ボルト２８ａの締結により固定され得る。このような構成又は形状の照明器具３０によっても、上記例示した照明器具１０と同様の効果を奏し得る。
【００４０】
図５は、本開示の他の実施形態として、図１に示す筐体１１に代わる第３筐体４１、及び、図１に示す飾り部材１４に代わる２つの第３飾り部材４４，４５を備える照明器具４０の構成を示す斜視図である。照明器具４０において、第３筐体４１の外周壁４２、第３飾り部材４４，４５、及び、第３透過パネル４３の平面形状は、それぞれ円形である。つまり、図１に示す照明器具１０では、飾り部材が１つのみであったのに対して、この場合には、互いに同心軸で径の異なる２つの飾り部材がある。なお、第３飾り部材４４，４５も、それぞれ、フランジ部４４ａ，４５ａを有する。第３透過パネル４３は、ボルト２７ａ、ボルト２８ａ及びボルト２９ａの締結により固定され得る。一方の第３飾り部材４４は、ボルト２８ａの締結により固定され、他方の第３飾り部材４５は、ボルト２９ａの締結により固定され得る。このような構成又は形状の照明器具４０によっても、上記例示した照明器具１０と同様の効果を奏し得る。
【００４１】
さらに、不図示であるが、上記例示では、筐体１１の外周壁２２の平面形状と、飾り部材１４の平面形状とを同一としているが、それぞれ異ならせてもよい。例えば、筐体１１の外周壁２２の平面形状が円形であり、飾り部材１４の平面形状が矩形又は多角形であってもよい。
【００４２】
以上、好ましい実施形態について説明したが、本実施形態は、これ限定されず、その要旨の範囲内で種々の変形及び変更が可能である。
【符号の説明】
【００４３】
１０    照明器具
１１    筐体
１２    灯具
１３    透過パネル
１３ｂ  第１貫通穴
１４    飾り部材
１４ａ  フランジ部
１４ｂ  第２貫通穴
１５    支柱
２０    天板
２２    外周壁
【図１】
2020136201.tif 000003
【図２】
2020136201.tif 000004
【図３】
2020136201.tif 000005
【図４】
2020136201.tif 000006
【図５】
2020136201.tif 000007